(57)【特許請求の範囲】
【請求項１】
親局装置および該親局装置に所定の伝送媒体を介して接続される子局装置のそれぞれが該伝送媒体の伝送帯域を共用使用する通信システムにおいて、
前記親局装置は、
自身と前記子局装置との間の通信データに付加する符号誤り訂正符号の冗長度を該子局装置ごとに制御する冗長度制御部と、
自身と前記子局装置との間の通信速度を該子局装置ごとに制御する速度調整部と、
を備え、
前記親局装置の冗長度制御部は、自身が受信した信号の受信出力に基づいて前記冗長度を制御し、
前記親局装置の速度調整部は、自身と前記子局装置との間にそれぞれ設定される冗長度に応じて自身と該子局装置との間の通信速度を制御する
ことを特徴とする通信システム。
【請求項２】
親局装置および該親局装置に所定の伝送媒体を介して接続される子局装置のそれぞれが該伝送媒体の伝送帯域を共用使用する通信システムにおいて、
前記親局装置は、
自身と前記子局装置との間の通信データに付加する符号誤り訂正符号の冗長度を該子局装置ごとに制御する冗長度制御部と、
自身と前記子局装置との間の通信速度を該子局装置ごとに制御する速度調整部と、
を備え、
前記親局装置の冗長度制御部は、自身が受信した信号から抽出されるクロック信号の擾乱度に基づいて前記冗長度を制御し、
前記親局装置の速度調整部は、自身と前記子局装置との間にそれぞれ設定される冗長度に応じて自身と該子局装置との間の通信速度を制御する
ことを特徴とする通信システム。
【請求項３】
親局装置および該親局装置に所定の伝送媒体を介して接続される子局装置のそれぞれが該伝送媒体の伝送帯域を共用使用する通信システムにおいて、
前記親局装置は、自身と前記子局装置との間の通信データに付加する符号誤り訂正符号の冗長度を該子局装置ごとに制御する冗長度制御部を備え、
前記子局装置は、
自身と前記親局装置との間の通信データに付加する符号誤り訂正符号の冗長度を制御する冗長度制御部と、
自身と前記親局装置との間の通信速度を制御する速度調整部と、
を備え、
前記子局装置の速度調整部は、自身と前記親局装置との間に設定される冗長度に応じて自身と該親局装置との間の通信速度を制御し、
前記子局装置の冗長度制御部は、自身と前記親局装置との間の通信データに付加する符号誤り訂正符号の冗長度を変更する必要がある場合に自身が受信した信号の受信出力に基づいて該冗長度を変更するためのメッセージを該親局装置に送信し、
前記親局装置の冗長度制御部は、前記子局装置から送信されたメッセージに基づいて冗長度変更要求を送信した子局装置を含む子局装置と自身との間の通信データに付加する符号誤り訂正符号の冗長度を制御することを特徴とする通信システム。
【請求項４】
親局装置および該親局装置に所定の伝送媒体を介して接続される子局装置のそれぞれが該伝送媒体の伝送帯域を共用使用する通信システムにおいて、
前記親局装置は、自身と前記子局装置との間の通信データに付加する符号誤り訂正符号の冗長度を該子局装置ごとに制御する冗長度制御部を備え、
前記子局装置は、自身と前記親局装置との間の通信データに付加する符号誤り訂正符号の冗長度を制御する冗長度制御部と、
自身と前記親局装置との間の通信速度を制御する速度調整部と、
を備え、
前記子局装置の速度調整部は、自身と前記親局装置との間に設定される冗長度に応じて自身と該親局装置との間の通信速度を制御し、
前記子局装置の冗長度制御部は、自身と前記親局装置との間の通信データに付加する符号誤り訂正符号の冗長度を変更する必要がある場合に自身が受信した信号から抽出されるクロック信号の擾乱度に基づいて該冗長度を変更するためのメッセージを該親局装置に送信し、
前記親局装置の冗長度制御部は、前記子局装置から送信されたメッセージに基づいて該メッセージを送信した子局装置を含む子局装置と自身との間の通信データに付加される符号誤り訂正符号の冗長度を制御することを特徴とする通信システム。
【請求項５】
親局装置および該親局装置に所定の伝送媒体を介して接続される子局装置のそれぞれが該伝送媒体の伝送帯域を共用使用する通信システムにおいて、
前記親局装置は、自身と前記子局装置との間の通信データに付加する符号誤り訂正符号の冗長度を該子局装置ごとに制御する冗長度制御部を備え、
前記子局装置は、自身と前記親局装置との間の通信速度を制御する速度調整部を備え、
前記親局装置の冗長度制御部は、自身が受信した信号の受信出力に基づいて前記冗長度を制御し、
前記子局装置の速度調整部は、自身と前記親局装置との間に設定される冗長度に応じて自身と該親局装置との間の通信速度を制御する
ことを特徴とする通信システム。
【請求項６】
親局装置および該親局装置に所定の伝送媒体を介して接続される子局装置のそれぞれが該伝送媒体の伝送帯域を共用使用する通信システムにおいて、
前記親局装置は、自身と前記子局装置との間の通信データに付加する符号誤り訂正符号の冗長度を該子局装置ごとに制御する冗長度制御部を備え、
前記子局装置は、自身と前記親局装置との間の通信速度を制御する速度調整部を備え、
前記親局装置の冗長度制御部は、自身が受信した信号から抽出されるクロック信号の擾乱度に基づいて前記冗長度を制御し、
前記子局装置の速度調整部は、自身と前記親局装置との間に設定される冗長度に応じて自身と該親局装置との間の通信速度を制御する
ことを特徴とする請求項５に記載の通信システム。
【請求項７】
前記符号誤り訂正符号の冗長度が、通信の初期段階で最大強度に設定されていることを特徴とする請求項１〜６のいずれか一つに記載の通信システム。
【請求項８】
所定の伝送媒体の伝送帯域を共用使用する子局装置に接続された親局装置において、
前記親局装置は、
自身と前記子局装置との間の通信データに付加する符号誤り訂正符号の冗長度を該子局装置ごとに制御する冗長度制御部と、
自身と前記子局装置との間の通信速度を該子局装置ごとに制御する速度調整部と、
を備え、
前記親局装置の冗長度制御部は、自身が受信した信号の受信出力に基づいて前記冗長度を制御し、
前記親局装置の速度調整部は、自身と前記子局装置との間にそれぞれ設定される冗長度に応じて自身と該子局装置との間の通信速度を制御する
ことを特徴とする親局装置。
【請求項９】
所定の伝送媒体の伝送帯域を共用使用する子局装置に接続された親局装置において、
前記親局装置は、
自身と前記子局装置との間の通信データに付加する符号誤り訂正符号の冗長度を該子局装置ごとに制御する冗長度制御部と、
自身と前記子局装置との間の通信速度を該子局装置ごとに制御する速度調整部と、
を備え、
前記親局装置の冗長度制御部は、自身が受信した信号から抽出されるクロック信号の擾乱度に基づいて前記冗長度を制御し、
前記親局装置の速度調整部は、自身と前記子局装置との間にそれぞれ設定される冗長度に応じて自身と該子局装置との間の通信速度を制御することを特徴とする親局装置。
【請求項１０】
親局装置に所定の伝送媒体を介して接続されるとともに該伝送媒体の伝送帯域を共用使用する子局装置において、
前記子局装置は、
自身と前記親局装置との間の通信データに付加する符号誤り訂正符号の冗長度を制御する冗長度制御部と、
自身と前記親局装置との間の通信速度を制御する速度調整部と、
を備え、
前記子局装置の速度調整部は、自身と前記親局装置との間に設定される冗長度に応じて自身と該親局装置との間の通信速度を制御し、
前記子局装置の冗長度制御部は、自身が受信した信号の受信出力に基づいて自身と前記親局装置との間の通信データに付加する符号誤り訂正符号の冗長度にかかる変更依頼を前記親局装置に送信することを特徴とする子局装置。
【請求項１１】
親局装置および該親局装置に所定の伝送媒体を介して接続される子局装置のそれぞれが該伝送媒体の伝送帯域を共用使用する通信システムに適用される通信方法であって、
前記親局装置と前記子局装置との間の通信データに付加する符号誤り訂正符号の冗長度を該子局装置ごとに制御する冗長度制御ステップと、
前記親局装置と前記子局装置との間の通信速度を該子局装置ごとに制御する速度調整ステップと、
を含み、
前記冗長度制御ステップでは、前記親局装置および／または前記子局装置で受信された信号の受信出力に基づいて前記通信データに付加される符号誤り訂正符号の冗長度が制御され、
前記速度調整ステップでは、前記親局装置と前記子局装置との間にそれぞれ設定される冗長度に応じて該親局装置と該子局装置との間の通信速度が制御される
ことを特徴とする通信方法。
【請求項１２】
親局装置および該親局装置に所定の伝送媒体を介して接続される子局装置のそれぞれが該伝送媒体の伝送帯域を共用使用する通信システムに適用される通信方法であって、
前記親局装置と前記子局装置との間の通信データに付加する符号誤り訂正符号の冗長度を該子局装置ごとに制御する冗長度制御ステップと、
前記親局装置と前記子局装置との間の通信速度を該子局装置ごとに制御する速度調整ステップと、
を含み、
前記冗長度制御ステップでは、前記親局装置および／または前記子局装置で受信された信号から抽出されるクロック信号の擾乱度に基づいて前記通信データに付加される符号誤り訂正符号の冗長度が制御され、
前記速度調整ステップでは、前記親局装置と前記子局装置との間にそれぞれ設定される冗長度に応じて該親局装置と該子局装置との間の通信速度が制御される、
ことを特徴とする通信方法。
【発明の詳細な説明】
【技術分野】
【０００１】
本発明は、親局装置と子局装置とが伝送媒体および伝送帯域を共用する通信システムおよび通信方法に関するものである。
【背景技術】
【０００２】
マルチメディアサービスを各家庭まで伝送する従来のアクセス系ネットワークとして、ＰＯＮ（Ｐａｓｓｉｖｅ  Ｏｐｔｉｃａｌ  Ｎｅｔｗｏｒｋ）システムが知られている（例えば、非特許文献１参照）。このＰＯＮシステムは、複数の加入者側通信装置（Ｏｐｔｉｃａｌ  Ｎｅｔｗｏｒｋ  Ｕｎｉｔ：以下「ＯＮＵ」と略記）と局側通信装置（Ｏｐｔｉｃａｌ  Ｌｉｎｅ  Ｔｅｒｍｉｎａｌ：以下「ＯＬＴ」と略記）がスターカプラを介して光ファイバケーブルで接続されるものであり、複数のＯＮＵが単一のＯＬＴを共有することができるので経済的な通信システムとして注目されている。
【０００３】
一方、ＦＥＣ（Ｆｏｒｗａｒｄ  Ｅｒｒｏｒ  Ｃｏｒｒｅｃｔｉｏｎ）等のエラー訂正処理技術に基づいて、高品質なデータ再生を可能とするデータ通信システムあるいはデータ通信方法にかかる従来技術として、往復伝播遅延（Ｒｏｕｎｄ  Ｔｒｉｐ  Ｔｉｍｅ：以下「ＲＴＴ」と略記）が短いならば、再送要求処理によるエラー訂正を選択し、ＲＴＴが長い状況である場合には、ＦＥＣによるエラー訂正を選択するといった動的なエラー訂正制御技術が開示されている（例えば特許文献１参照）。
【０００４】
【特許文献１】特開２００３−１７９５８０号公報（第１頁）
【非特許文献１】ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈ
【発明の開示】
【発明が解決しようとする課題】
【０００５】
上記特許文献１に開示された従来技術では、ＲＴＴの長短に基づいてＦＥＣを適用するか否かを制御するのみであり、例えば非特許文献１に開示されたＰＯＮシステムにＦＥＣを適用する場合には、同一のＰＯＮシステムに接続される全てのＯＮＵについてＦＥＣ強度が一定になるという必然性がある。このため、接続される伝送路の状態が異なる、例えば接続距離の異なるＯＮＵが混在するＰＯＮシステムにおいて、例えば最遠端のＯＮＵに合わせたＦＥＣ強度が必要となり、近端のＯＮＵにおいては不必要に長いＦＥＣ冗長コードが付加され、伝送効率が低下するといった問題点があった。
【０００６】
本発明は、上記に鑑みてなされたものであって、親局装置と子局装置とが伝送媒体および伝送帯域を共用する通信システムにＦＥＣ技術を適用する際の伝送効率の低下を防止または低減することができる通信システムおよび通信方法ならびに当該通信システムを構成する親局装置および子局装置を提供することを目的とする。
【課題を解決するための手段】
【０００７】
上述した課題を解決し、目的を達成するため、本発明にかかる通信システムは、親局装置および該親局装置に所定の伝送媒体を介して接続される子局装置のそれぞれが該伝送媒体の伝送帯域を共用使用する通信システムにおいて、前記親局装置は、自身と前記子局装置との間の通信データに付加する符号誤り訂正符号の冗長度を該子局装置ごとに制御する冗長度制御部を備え、前記親局装置の冗長度制御部は、自身が受信した信号の受信出力に基づいて前記冗長度を制御することを特徴とする。
【発明の効果】
【０００８】
本発明にかかる通信システムによれば、親局装置と子局装置との間の通信データに付加される符号誤り訂正符号の冗長度を子局装置ごとに制御するとともに、自身が受信した信号の受信出力に基づいて符号誤り訂正符号の冗長度を制御するようにしているので、通信システムにＦＥＣ技術を適用する際の伝送効率の低下が防止または低減されるという効果を奏する。
【発明を実施するための最良の形態】
【０００９】
以下に、本発明にかかる通信システムならびに当該通信システムにおける親局装置、子局装置および通信方法を具現する実施の形態を図面に基づいて詳細に説明する。なお、これらの実施の形態により本発明が限定されるものではない。
【００１０】
実施の形態１．
（通信システムの特徴）
まず、実施の形態１にかかる通信システムの特徴について、子局装置である加入者側通信装置（ＯＮＵ）と親局装置である局側通信装置（ＯＬＴ）とが光ファイバケーブルで接続される形態のＰＯＮシステムをその一例として説明する。本発明の実施の形態１にかかる通信システムでは、ＯＮＵおよび／またはＯＬＴの受信光パワーに基づいて、通信データに付加されるＦＥＣ冗長コード（符号誤り訂正符号）の冗長度が制御される。この制御により、例えばＰＯＮシステム内の伝送プロトコルとしてＧＥ（Ｇｉｇａｂｉｔ  Ｅｔｈｅｒｎｅｔ（登録商標））プロトコルが適用されるＧＥ−ＰＯＮシステムにＦＥＣ技術を適用する場合に、ＯＬＴとＯＮＵとの間の接続伝送路状態に応じたＦＥＣ強度（冗長度）を適用した通信を行うことが可能となる。
【００１１】
（通信システムの構成）
つぎに、実施の形態１にかかる通信システムの構成について説明する。図１は、本発明の実施の形態１にかかるＰＯＮシステムの接続構成を示す図である。同図に示すＰＯＮシステムでは、加入者側通信装置である複数のＯＮＵ４（４1，４2，・・・、４n）と局側通信装置である一つのＯＬＴ１とが、光ファイバ３を信号伝送媒体として、光カプラ２を介し接続される。なお、このようなＰＯＮシステムでは、その接続形態により、接続距離が異なる複数のＯＮＵ４が混在することになる。
【００１２】
図２は、本発明の実施の形態１にかかるＯＬＴの構成を示すブロック図である。同図に示すＯＬＴ１は、光電気変換部（以下「Ｏ／Ｅ変換部」と略記）１０１、受光パワー計測部１０２、ビット同期部１０３、ビット変換部である８Ｂ／１０Ｂ変換部１０４、ＦＥＣ符号化／復号化部１０５、制御フレーム抽出部１０６、制御フレーム挿入部１０７、制御フレーム終端部１０８、ＰＯＮ制御部１０９およびフレームバッファ１１０を備えるように構成されている。なお、ＦＥＣ符号化／復号化部１０５とＰＯＮ制御部１０９とが冗長度制御部を構成する。
【００１３】
また、図３は、本発明の実施の形態１にかかるＯＮＵの構成を示すブロック図である。同図に示すＯＮＵ４は、Ｏ／Ｅ変換部２０１、受光パワー計測部２０２、ビット同期部２０３、ビット変換部である８Ｂ／１０Ｂ変換部２０４、ＦＥＣ符号化／復号化部２０５、制御フレーム挿入部２０６、制御フレーム抽出部２０７、制御フレーム終端部２０８、ＰＯＮ制御部２０９およびフレームバッファ２１０を備える。なお、ＯＬＴ１と同様に、ＦＥＣ符号化／復号化部２０５とＰＯＮ制御部２０９とが冗長度制御部を構成する。
【００１４】
（通信システムの動作）
つぎに、実施の形態１にかかる通信システムの動作について説明する。まず、ＩＥＥＥ８０２．３ａｈに規定されている、オートディスカバリにおけるレンジング処理について説明する。なお、オートディスカバリとは、ＰＯＮシステム上で電源ＯＮにより動作可能となったＯＮＵを登録するために、ＯＬＴがＯＮＵを検出するための機能である。
【００１５】
図４は、ＰＯＮシステムにおけるオートディスカバリのシーケンスを示すシーケンス図である。同図において、ＯＮＵ４は、ＯＬＴ１から定期的に送信されるＤｉｓｃｏｖｅｒｙ＿ＧＡＴＥメッセージを受信する（ＳＱ１０１）。なお、ＯＮＵ４が未登録の場合には、当該ＯＮＵ４は、Ｄｉｓｃｏｖｅｒｙ＿ＧＡＴＥメッセージのみを受信する。このメッセージに対する応答として、ＯＮＵ４は、ＲＥＧＩＳＴＥＲ＿ＲＥＱ（Ｒｅｑｕｅｓｔ）メッセージをＯＬＴ１へ送信して論理リンク確立を要求する（ＳＱ１０２）。ＯＬＴ１では、この論理リンク確率要求に対して論理リンクユーザ識別番号（Ｌｏｇｉｃａｌ  Ｌｉｎｋ  ＩＤｅｎｔｉｆｉｃａｔｉｏｎ  ｎｕｍｂｅｒ：以下「ＬＬＩＤ」と略記）を予約するとともに、予約したＬＬＩＤをＲＥＧＩＳＴＥＲメッセージに挿入してＯＮＵ４へ通知する（ＳＱ１０３）。その後、ＯＮＵ４がＲＥＧＩＳＴＥＲ＿ＡＣＫメッセージをＯＬＴ１に返送する際のタイミング指示が含まれ、ＯＮＵ４が上り帯域を使用するための許可メッセージであるＮｏｒｍａｌ＿ＧＡＴＥメッセージが送信される（ＳＱ１０４）。ＯＮＵ４では、指定されたＬＬＩＤが設定されるとともにＮｏｒｍａｌ＿ＧＡＴＥに示されているタイミングでＲＥＧＩＳＴＥＲ＿ＡＣＫメッセージを送信する（ＳＱ１０５）。これらの手順により、ＯＬＴ１がＯＮＵ４から送信されたＲＥＧＩＳＴＥＲ＿ＡＣＫメッセージを受信した時点でＯＬＴ１とＯＮＵ４との間の論理リンクが確立される。
【００１６】
ところで、上記において、図１に示すように、一のＰＯＮシステムに接続される各ＯＮＵ４が、個々にＯＬＴ１から異なる距離に位置するという特徴を有している点について触れたが、ＰＯＮシステム内の伝送プロトコルとしてＧＥ（Ｇｉｇａｂｉｔ  Ｅｔｈｅｒｎｅｔ（登録商標））プロトコルが適用されるＧＥ−ＰＯＮシステムでは、ＯＬＴ１とＯＮＵ４との間の距離に対応する往復伝播遅延時間（ＲＴＴ：Ｒｏｕｎｄ  Ｔｒｉｐ  Ｔｉｍｅ）をＯＬＴ１とＯＮＵ４との間で通信する制御メッセージ（ＧＡＴＥメッセージおよびＲＥＰＯＲＴメッセージ）に埋め込まれたタイムスタンプに基づいて計測し、上りフレームを、このＲＴＴを考慮して時分割多重制御する伝送制御処理が行われる。
【００１７】
つぎに、ＯＬＴで行われるＲＴＴ計測処理について説明する。図５は、ＲＴＴ計測のシーケンスを示す説明図である。同図において、ＯＬＴ１および各ＯＮＵ４は、例えば３２ビットのカウンタをそれぞれ有する。これらのカウンタは、例えば主信号転送速度の２バイトごとにカウントアップ動作する。なお、このときの速度（カウントアップ速度）は、例えば主信号転送速度が１．２５ＧｂｐｓのＧＥ−ＰＯＮシステムの場合では、１６ｎｓに相当する。
【００１８】
図５に戻って、ＯＬＴ１は、図示しないカウンタを自立的にカウントアップし、ＧＡＴＥメッセージの送信時にカウンタ値（Ｔ１）をメッセージ内のタイムスタンプ領域に設定する（ＳＱ２０１）。一方、ＯＮＵ４はＧＡＴＥメッセージを受信すると、タイムスタンプ（Ｔ１）の値をカウンタに設定する（ＳＱ２０２）。ＯＮＵ４は、ＲＥＰＯＲＴメッセージ送信時に送信時のカウンタ値（Ｔ４：Ｔ４＝Ｔ１＋（Ｔ３−Ｔ２））をメッセージ内のタイムスタンプ領域に設定する（ＳＱ２０３）。ＯＬＴ１は、ＲＥＰＯＲＴメッセージを受信するとともに、ＯＬＴが持つカウンタ値（Ｔ５）とＲＥＰＯＲＴメッセージ内のタイムスタンプ領域の値（Ｔ４）との差分値を演算する（ＳＱ２０４）。なお、このとき算出される差分値Ｔ５−Ｔ４は、Ｔ５−Ｔ４＝Ｔ５−｛Ｔ１＋（Ｔ３−Ｔ２）｝＝（Ｔ５−Ｔ３）＋（Ｔ２−Ｔ１）＝ＲＴＴとなって、Ｔ５−Ｔ４がＲＴＴを表すことになる。
【００１９】
このようにＲＴＴ計測処理では、ＯＬＴ１が主装置で、ＯＮＵ４が従装置となり、上述のようなＧＡＴＥ／ＲＥＰＯＲＴメッセージを用いた手順が周期的に実施されることで、ＯＮＵ４のオシレータ精度や、伝播速度揺らぎ、同期ずれ等によるＲＴＴの変動が補正される。
【００２０】
つぎに、ＯＬＴ１からＯＮＵ４に伝送される制御メッセージ（下り方向の制御メッセージ）のＯＬＴ１における送信処理手順について説明する。図２において、ＯＬＴ１のＰＯＮ制御部１０９から制御フレーム終端部１０８に対して制御メッセージ（例えば、Ｄｉｓｃｏｖｅｒｙ＿ＧＡＴＥメッセージ）の生成が指示され、制御フレーム終端部１０８では、制御メッセージが生成される。生成された制御メッセージは、制御フレーム挿入部１０７にて下り主信号フレームと多重され、ＦＥＣ符号化／復号化部１０５へ送信される。ＦＥＣ符号化／復号化部１０５では、ＦＥＣ冗長コードが付加される。ＦＥＣ冗長コードを付加されたフレームは、８Ｂ／１０Ｂ変換部１０４にて１０Ｂに変換された後、光電気変換部（以下「Ｏ／Ｅ変換部」と呼称）１０１にて光信号に変換されてＯＮＵ４へ送信される。
【００２１】
なお、上記の処理手順中、ＦＥＣ符号化／復号化部１０５にて付加されるＦＥＣ冗長度の初期値として、任意強度のものを用いることができる。ただし、ＦＥＣ冗長度の初期値として最大ＦＥＣ冗長度に設定されていれば、例えば、ＰＯＮシステムにおいて、伝送路が最も悪いＯＮＵ（例えば最遠端のＯＮＵ）であっても所望の通信を確実に行うことができる。
【００２２】
また、ＯＬＴ１からＯＮＵ４に伝送された制御メッセージのＯＮＵ４における受信処理手順はつぎのとおりである。図３において、Ｏ／Ｅ変換部２０１では光信号が電気信号に変換され、さらに８Ｂ／１０Ｂ変換部２０４にて８Ｂに変換された後、ＦＥＣ符号化／復号化部２０５に伝達される。ＦＥＣ符号化／復号化部２０５では、ＦＥＣ復号化が行われる。ＦＥＣ復号化された制御メッセージフレームは、制御フレーム抽出部２０７にて主信号データフレームから抽出された後、制御フレーム終端部２０８に伝達される。制御フレーム終端部２０８では、フレームが解析され、ＰＯＮ制御部２０９に対して必要な情報が通知される。
【００２３】
なお、上記の処理手順中、ＦＥＣ符号化／復号化部２０５で復号化する際のＦＥＣ冗長度の初期値は、送信側で用いられたものを用いればよい。例えば、送信側において、最大ＦＥＣ冗長度がＦＥＣ冗長度の初期値として設定されていれば、受信側においても最大ＦＥＣ冗長度を用いればよい。
【００２４】
つぎに、ＯＮＵ４からＯＬＴ１に伝送される制御メッセージ（上り方向の制御メッセージ）のＯＮＵ４における送信処理手順について説明する。図３において、ＯＮＵ４のＰＯＮ制御部２０９から制御フレーム終端部２０８に対して制御メッセージ（例えば、ＲＥＧＩＳＴＥＲ＿ＲＥＱメッセージ）の生成が指示され、制御フレーム終端部２０８では、制御メッセージが生成される。生成された制御フレームは、制御フレーム挿入部２０６にて下り主信号フレームと多重され、ＦＥＣ符号化／復号化部２０５へ送信される。ＦＥＣ符号化／復号化部２０５では、ＦＥＣ冗長コードが付加される。ＦＥＣ冗長コードが付加されたフレームは、８Ｂ／１０Ｂ変換部２０４にて１０Ｂに変換された後、Ｏ／Ｅ変換部２０１にて光信号に変換されてＯＬＴ１へ送信される。なお、下り方向の場合と同様に、ＦＥＣ冗長度の初期値として任意強度のものを用いることができるが、特に最大冗長度設定とすることが好ましい。
【００２５】
また、ＯＮＵ４からＯＬＴ１に伝送された制御メッセージのＯＬＴ１における受信処理手順はつぎのとおりである。図２において、Ｏ／Ｅ変換部１０１では光信号が電気信号に変換され、さらに８Ｂ／１０Ｂ変換部１０４にて８Ｂに変換された後、ＦＥＣ符号化／復号化部１０５に伝達される。ＦＥＣ符号化／復号化部１０５では、ＦＥＣ復号化が行われる。ＦＥＣ復号化された制御メッセージフレームは、制御フレーム抽出部１０６にて主信号データフレームから抽出された後、制御フレーム終端部１０８に伝達される。制御フレーム終端部１０８では、フレームが解析され、ＰＯＮ制御部１０９に対して必要な情報が通知される。
【００２６】
なお、上記の処理手順中、ＦＥＣ符号化／復号化部１０５で復号化する際のＦＥＣ冗長度の初期値は、送信側で用いられたものの同一の強度のものを用いればよい。例えば、送信側において、最大ＦＥＣ冗長度がＦＥＣ冗長度の初期値として設定されていれば、受信側においても最大ＦＥＣ冗長度を用いればよい。
【００２７】
つぎに、制御メッセージを用いたＦＥＣ冗長度制御の処理手順について図２および図３を用いて説明する。
【００２８】
なお、オートディスカバリ動作において、Ｄｉｓｃｏｖｅｒｙ＿ＧＡＴＥメッセージとＲＥＧＩＳＴＥＲ＿ＲＥＱメッセージとが送受信される際に、上記ＧＡＴＥメッセージおよびＲＥＰＯＲＴメッセージが送受信される図５のように、ＲＴＴがＯＬＴ１によって計測される。
【００２９】
ＲＴＴが計測されるとき、当該ＲＴＴに応じたＦＥＣ冗長度がＯＬＴ１にて選択されるとともに、ＲＥＧＩＳＴＥＲメッセージにて当該ＲＴＴに対応するＯＮＵ４に通知される。図２において、ＯＬＴ１のＰＯＮ制御部１０９は、論理リンク確立時に計測したそれぞれのＯＮＵ４のＲＴＴに対応するＦＥＣ冗長度をＦＥＣ符号化／復号化部１０５に設定する。そして、当該ＲＴＴに対応するＯＮＵ４に対する送信フレームについては、以後、設定されたＦＥＣ冗長度での運用が行われる。
【００３０】
なお、例えばＧＥ−ＰＯＮシステムにおいては、上りフレームに関し、複数のＯＮＵ４から送信されたフレームの衝突を回避するような帯域制御をＰＯＮ制御部１０９が行っており、どのＯＮＵ４からのフレームかどうかは、どのタイミングでＯＬＴ１が受信するかにより判断可能である。このようにして、ＯＬＴ１では、受信したフレームがどのＯＮＵ４から送信されたものかを判断することができ、当該ＯＮＵ４に対応するＦＥＣ冗長度で復号化したフレームが当該ＯＮＵ４に対して送信される。
【００３１】
一方、図３において、ＯＮＵ４のＰＯＮ制御部２０９は、ＯＬＴ１からＲＥＧＩＳＴＥＲメッセージにて通知されたＦＥＣ冗長度をＦＥＣ符号化／復号化部２０５に設定する。なお、送信フレームについては、設定されたＦＥＣ冗長度で符号化され、ＧＡＴＥメッセージ内の情報に準じてＯＬＴ１に送信される。また、受信フレームについては、設定されたＦＥＣ冗長度で復号化される。
【００３２】
また、上記のＦＥＣ冗長度にて最初の運用が開始されるが、運用中は、ＯＬＴ１内の受光パワー計測部１０２にて各ＯＮＵ４から送信された信号の受光パワーが計測され、運用されているＦＥＣ冗長度が適切であるか否かが監視される。例えば、ＯＮＵ４からの受光パワーが減少すれば、伝送路状態が悪化していることを意味するので、ＦＥＣ冗長度の強度を上げるようにする。逆に受光パワーが増大すれば、伝送路状態が改善されていることを意味するので、ＦＥＣ冗長度の強度を下げて伝送効率を高めることができる。
【００３３】
つぎに、ＦＥＣ冗長度の変更動作について説明する。図２において、運用中ＯＬＴ１の受光パワー計測部１０２では、所定のＯＮＵ４からの受光パワーの変化が検出される。当該ＯＮＵ４の受光パワーの変化はＰＯＮ制御部１０９に通知され、ＰＯＮ制御部１０９にて、ＦＥＣ冗長度を変化させるか否かが判断される。ＦＥＣ冗長度を変化させる場合には、ＰＯＮ制御部１０９から制御フレーム終端部１０８に対してＦＥＣ冗長度変更指示を含むＦＥＣ制御フレームの生成が指示される。生成されたＦＥＣ制御フレームは、制御フレーム挿入部１０７にて下りデータフレーム間に挿入され、その後の所定の処理を経た後、所定のＯＮＵ４に通知される。
【００３４】
また、図３において、制御フレーム抽出部２０７にてＦＥＣ制御フレームが抽出され、制御フレーム終端部２０８で解析され、必要な情報がＰＯＮ制御部２０９に通知される。ＦＥＣ冗長度の変更は、ＰＯＮ制御部２０９からＦＥＣ符号化／復号化部２０５に伝達される。なお、ＯＬＴ１からのＦＥＣ制御フレームに応答するＦＥＣ応答制御フレームがＯＬＴ１に対して送信され、このＦＥＣ応答制御フレーム以降のデータフレームは、新しいＦＥＣ冗長度で符号化される。
【００３５】
冗長度の変更が指示されたＯＮＵ４からのＦＥＣ応答制御フレームはＯＬＴ１で受信され、当該ＦＥＣ応答制御フレームを受信した以降の当該ＯＮＵ４からのデータフレームは新しいＦＥＣ冗長度で復号化される。また、ＯＬＴ１からＯＮＵ４に対してＦＥＣ制御フレームが再度送信され、再送信されたＦＥＣ制御フレーム以降のデータフレームは新しいＦＥＣ冗長度で符号化される。
【００３６】
また、ＯＮＵ４内の受光パワー計測部２０２においても受光パワーの変化が計測され、運用中のＦＥＣ冗長度が適切であるか否かが監視される。もし、ＦＥＣ冗長度を変更する必要がある場合には、ＯＮＵ４にて生成されたＦＥＣ変更要求制御フレームがＯＬＴ１に対して送信される。
【００３７】
ＦＥＣ変更要求制御フレームはＯＬＴ１にて受信され、ＯＬＴ１のＰＯＮ制御部１０９から制御フレーム終端部１０８に対してＦＥＣ冗長度変更指示を含むＦＥＣ制御フレームの生成が指示される。なお、それ以降の動作は、上記動作と同様である。
【００３８】
なお、この実施の形態では、図２および図３に示したように、ＯＬＴ１およびＯＮＵ４の両者が受光パワー計測部を具備する形態について示したが、両者ともに具備する必要はなく、どちらか一方が具備していればよい。
【００３９】
以上説明したように、この実施の形態では、複数のＯＮＵおよび／またはＯＬＴにおける受信光パワーに基づいて、通信データに付加されるＦＥＣ冗長コードの冗長度を制御するようにしているので、例えばＧＥ−ＰＯＮシステムにＦＥＣ技術を適用する場合に、ＯＬＴとＯＮＵとの間の接続伝送路状態に応じたＦＥＣ強度（冗長度）で通信を行うことができ、ＯＮＵの接続伝送路状態に応じた伝送効率を適切に制御することができる。
【００４０】
実施の形態２．
（通信システムの特徴）
実施の形態２にかかる通信システムは、子局装置であるＯＮＵおよび／または親局装置であるＯＬＴの受信信号から抽出されるクロック信号の擾乱の程度（以下「擾乱度」という）に基づいて、通信データに付加されるＦＥＣ冗長コードにおける冗長度を制御することでで、例えばＧＥ−ＰＯＮシステムにＦＥＣ技術を適用する場合に、ＯＬＴとＯＮＵとの間の接続伝送路状態に応じたＦＥＣ強度（冗長度）で通信を行うことを特徴とするものである。
【００４１】
（通信システムの構成）
つぎに、実施の形態２にかかる通信システムの構成について説明する。図６は、本発明の実施の形態２にかかるＯＬＴの構成を示すブロック図であり、図７は、本発明の実施の形態２にかかるＯＮＵの構成を示すブロック図である。図６に示すＯＬＴは、実施の形態１の受光パワー計測部１０２の構成に代えて、受信信号から抽出されるクロック信号の擾乱を検出する抽出ＣＬＫ（クロック）擾乱検出部３０２を備えるように構成される。同様に、図７に示すＯＮＵは、実施の形態１の受光パワー計測部２０２の構成に代えて、受信信号から抽出されるクロック信号の擾乱を検出する抽出ＣＬＫ擾乱検出部４０２を備えるように構成される。なお、図６および図７において、上述の抽出ＣＬＫ擾乱検出部３０２，４０２以外の構成については、実施の形態１の構成と同一または同等である。
【００４２】
（通信システムの動作）
つぎに、実施の形態２にかかる通信システムの動作について説明する。なお、初期運用開始までの動作は、実施の形態１と同様であるので、その説明を省略するとともに、以下、ＦＥＣ冗長度の変更動作について説明する。
【００４３】
この実施の形態の通信システムでは、まず、実施の形態１と同様の動作で初期のＦＥＣ冗長度にて運用が開始される。一方、運用中は、ＯＬＴ１内の抽出ＣＬＫ擾乱検出部３０２にて各ＯＮＵ４から送信された信号のクロック信号が抽出されるとともに、当該クロック信号の擾乱度に基づいて運用されているＦＥＣ冗長度が適切であるか否かが監視される。例えば、受信信号から抽出されたクロック擾乱が増大すれば、伝送路状態が悪化していることを意味するので、ＦＥＣ冗長度の強度を上げるようにする。逆に抽出されたクロック擾乱が減少すれば、伝送路状態が改善されていることを意味するので、ＦＥＣ冗長度の強度を下げて伝送効率を高めることができる。
【００４４】
図６において、運用中ＯＬＴ１内の抽出ＣＬＫ擾乱検出部３０２では、受信信号から抽出したクロック信号の擾乱度（変動）が検出される。その変動は、ＰＯＮ制御部３０９に通知され、ＰＯＮ制御部３０９にて、ＦＥＣ冗長度を変化させるか否かが判断される。ＦＥＣ冗長度を変化させる場合には、ＰＯＮ制御部３０９から制御フレーム終端部３０８に対してＦＥＣ冗長度変更指示を含むＦＥＣ制御フレームの生成が指示される。生成されたＦＥＣ制御フレームは、制御フレーム挿入部３０７にて下りデータフレーム間に挿入され、その後の所定の処理を経た後、所定のＯＮＵ４に通知される。
【００４５】
また、図７において、制御フレーム抽出部４０７にてＦＥＣ制御フレームが抽出され、制御フレーム終端部４０８で解析され、必要な情報がＰＯＮ制御部４０９に通知される。ＦＥＣ冗長度の変更は、ＰＯＮ制御部４０９からＦＥＣ符号化／復号化部４０５伝達される。なお、ＯＬＴ１からのＦＥＣ制御フレームに応答するＦＥＣ応答制御フレームがＯＬＴ１に対して送信され、このＦＥＣ応答制御フレーム以降のデータフレームは、新しいＦＥＣ冗長度で符号化される。
【００４６】
冗長度の変更が指示されたＯＮＵ４からのＦＥＣ応答制御フレームはＯＬＴ１で受信され、当該ＦＥＣ応答制御フレームを受信した以降の当該ＯＮＵ４からのデータフレームは新しいＦＥＣ冗長度で復号化される。また、ＯＬＴ１からＯＮＵ４に対してＦＥＣ制御フレームが再度送信され、再送信されたＦＥＣ制御フレーム以降のデータフレームは新しいＦＥＣ冗長度で符号化される。
【００４７】
また、ＯＮＵ４内の抽出ＣＬＫ擾乱検出部４０２においても、受信信号から抽出したクロック信号の擾乱度（変動）が検出され、運用中のＦＥＣ冗長度が適切であるか否かが監視される。もし、ＦＥＣ冗長度を変更する必要がある場合には、ＯＮＵ４にて生成されたＦＥＣ変更要求制御フレームがＯＬＴ１に対して送信される。
【００４８】
ＦＥＣ変更要求制御フレームはＯＬＴ１にて受信され、ＯＬＴ１のＰＯＮ制御部３０９から制御フレーム終端部３０８に対してＦＥＣ冗長度変更指示を含むＦＥＣ制御フレームの生成が指示される。なお、それ以降の動作は、上記動作と同様である。
【００４９】
なお、この実施の形態では、図６および図７に示したように、ＯＬＴ１およびＯＮＵ４の両者が抽出ＣＬＫ擾乱検出部を具備する形態について示したが、両者ともに具備する必要はなく、どちらか一方が具備していればよい。
【００５０】
（抽出ＣＬＫ擾乱検出部の構成）
つぎに、抽出ＣＬＫ擾乱検出部の構成について説明する。図８は、抽出ＣＬＫ擾乱検出部の構成例を示すブロック図である。同図に示す抽出ＣＬＫ擾乱検出部は、位相比較器５０１、ループフィルタ５０２、ＶＣＯ（Ｖｏｌｔａｇｅ  Ｃｏｎｔｒｏｌ  Ｏｓｃｉｌｌａｔｏｒ）５０３、分周期５０４および電圧変動検出部５０５を備えており、一般的なＰＬＬ（Ｐｈａｓｅ  Ｌｏｃｋｅｄ  Ｌｏｏｐ）回路と同等の構成を有している。
【００５１】
（抽出ＣＬＫ擾乱検出部の動作）
つぎに、抽出ＣＬＫ擾乱検出部の動作について説明する。位相比較器５０１では、Ｏ／Ｅ変換部３０１またはＯ／Ｅ変換部４０１からの出力信号（受信電気信号）と、ＶＣＯ５０３からの出力クロックが分周期５０４で１／Ｎ（Ｎは所定の自然数）に分周されたものとが位相比較され、受信信号に同期したクロックが生成される。一方、伝送路が悪化している状況においては、クロック位相が頻繁に修正されるので、位相比較器５０１の出力電圧の変動が大きくなる。この変動成分が、電圧変動検出部５０５で検出されＰＯＮ制御部３０９またはＰＯＮ制御部４０９に出力される。このように、抽出ＣＬＫ擾乱検出部は、受信信号から生成されるクロック信号位相の変動度合いをクロック信号の擾乱度として検出する機能を有するものである。
【００５２】
また、図９は、抽出ＣＬＫ擾乱検出部の図８とは異なる他の構成例を示すブロック図である。同図に示す抽出ＣＬＫ擾乱検出部は、位相比較器６０１、ループフィルタ６０２、ＶＣＯ６０３、分周期６０４および電圧変動検出部６０５を備えている。図８に示した抽出ＣＬＫ擾乱検出部と同様な構成であるが、図８に比してループフィルタ６０２の時定数が小さな値に設定されている。ループフィルタ６０２の時定数を小さくした場合、ＶＣＯ６０３への制御が頻繁に行われるため、ループフィルタ６０２の出力電圧の変動が大きくなる。したがって、伝送路が悪化している状況であれば、ループフィルタ６０２の出力電圧の変動成分が大きくなるので、ループフィルタ６０２の出力変動をクロック信号の擾乱度として検出することができる。
【００５３】
以上説明したように、この実施の形態では、複数のＯＮＵおよび／またはＯＬＴにおける受信信号から抽出されたクロック信号の擾乱度（すなわち伝送路状態と等価）に基づいて、通信データに付加されるＦＥＣ冗長コードの冗長度を制御するようにしているので、例えばＧＥ−ＰＯＮシステムにＦＥＣ技術を適用する場合に、ＯＬＴとＯＮＵとの間の接続伝送路状態に応じたＦＥＣ強度（冗長度）で通信を行うことができ、ＯＮＵの接続伝送路状態に応じた伝送効率を適切に制御することができる。
【００５４】
実施の形態３．
（通信システムの特徴）
実施の形態３にかかる通信システムは、子局装置であるＯＮＵと親局装置であるＯＬＴとの間の接続距離や接続伝送路の状況に応じてＦＥＣ冗長度を制御する際に、当該冗長度に応じてＯＮＵとＯＬＴとの間の通信速度を制御するところに特徴を有している。このような速度制御を行うようにすれば、ＯＮＵとＯＬＴとの間の接続距離や接続伝送路状況に関係なく、伝送効率をほぼ一定に制御することができる。
【００５５】
（通信システムの構成）
つぎに、実施の形態３にかかる通信システムの構成について説明する。図１０は、本発明の実施の形態３にかかるＯＬＴの構成を示すブロック図であり、図１１は、本発明の実施の形態３にかかるＯＮＵの構成を示すブロック図である。図１０に示すＯＬＴは、図２に示した実施の形態１の構成に加えて、ＦＥＣ符号化／復号化部７０５と制御フレーム抽出部７０６および制御フレーム挿入部７０７のそれぞれとの間に挿入される速度調整部７１１を備えるように構成される。同様に、図９に示すＯＮＵは、図３に示した実施の形態１の構成に加えて、ＦＥＣ符号化／復号化部８０５と制御フレーム挿入部８０６および制御フレーム抽出部８０７のそれぞれとの間に挿入される速度調整部８１１を備えるように構成される。なお、図１０および図１１において、上述の速度調整部７１１，８１１以外の構成については、実施の形態１の構成と同一または同等である。
【００５６】
（通信システムの動作）
つぎに、実施の形態３にかかる通信システムの動作について説明する。まず、オートディスカバリ動作において、上述の実施の形態１と同様に、Ｄｉｓｃｏｖｅｒｙ＿ＧＡＴＥメッセージとＲＥＧＩＳＴＥＲ＿ＲＥＱメッセージとが送受信される際に、ＲＴＴ（往復伝播遅延時間）がＯＬＴ１によって計測される。また、ＲＴＴが計測されるとき、当該ＲＴＴに応じたＦＥＣ冗長度がＯＬＴ１にて選択され、さらに当該ＲＴＴに応じた受信／送信回路動作周波数（通信速度）が選択されるとともに、ＲＥＧＩＳＴＥＲメッセージにて当該ＲＴＴに対応するＯＮＵ４に通知される。ここで、ＲＴＴの値が大きい場合（例えば遠距離接続ＯＮＵの場合）には、冗長度を増大させる必要があり、その結果ＦＥＣ冗長コードが長くなってユーザデータ領域が減少して伝送効率が低下する。したがって、ＲＴＴの値が大きい場合には、受信／送信回路動作周波数（通信速度）も高く設定される。
【００５７】
図１０において、ＯＬＴ１のＰＯＮ制御部７０９は、論理リンク確立時に計測したそれぞれのＯＮＵ４のＲＴＴに対応するＦＥＣ冗長度をＦＥＣ符号化／復号化部７０５に、また、それぞれのＯＮＵ４のＲＴＴに対応する受信／送信回路動作周波数（通信速度）をビット同期部７０３、８Ｂ／１０Ｂ変換部７０４、ＦＥＣ符号化／復号化部７０５および速度調整部７１１に設定する。そして、当該ＲＴＴに対応するＯＮＵ４に対する送信フレームについては、以後、設定されたＦＥＣ冗長度および通信速度での運用が行われる。
【００５８】
なお、例えばＧＥ−ＰＯＮシステムにおいては、上りフレームに関し、複数のＯＮＵ４から送信されたフレームの衝突を回避するような帯域制御をＰＯＮ制御部７０９が行っており、どのＯＮＵ４からのフレームかどうかは、どのタイミングでＯＬＴ１が受信するかにより判断可能である。このようにして、ＯＬＴ１では、受信したフレームがどのＯＮＵ４から送信されたものかを判断することができ、当該ＯＮＵ４に対応する回路動作周波数（通信速度）でビット同期部７０３、８Ｂ／１０Ｂ変換部７０４、ＦＥＣ符号化／復号化部７０５、速度調整部７１１を動作させたフレーム受信と、当該ＯＮＵ４に対応するＦＥＣ冗長度による復号化とが実行される。
【００５９】
一方、図１１において、ＯＮＵ４のＰＯＮ制御部８０９は、ＯＬＴ１からＲＥＧＩＳＴＥＲメッセージにて通知されたＦＥＣ冗長度をＦＥＣ符号化／復号化部８０５に設定するととともに、当該ＯＮＵ４のＲＴＴに対応する回路動作周波数（通信速度）をビット同期部８０３、８Ｂ／１０Ｂ変換部８０４、ＦＥＣ符号化／復号化部８０５、速度調整部８１１に設定する。なお、送信フレームについては、設定されたＦＥＣ冗長度と通信速度とで、ＧＡＴＥメッセージ内の情報に準じてＯＬＴ１に送信される。また、受信フレームについては、設定された回路動作周波数（通信速度）でビット同期部８０３、８Ｂ／１０Ｂ変換部８０４、ＦＥＣ符号化／復号化部８０５、速度調整部８１１を動作させたフレーム受信と、設定されたＦＥＣ冗長度による復号化とが実行される。
【００６０】
また、上記のＦＥＣ冗長度および回路動作周波数にて運用が開始されるが、運用中は、実施の形態１と同様にＯＬＴ１内の受光パワー計測部７０２にて各ＯＮＵ４から送信された信号の受光パワーが計測され、運用されているＦＥＣ冗長度が適切であるか否かが監視される。ＦＥＣ冗長度を修正する必要性が生じた場合には、実施の形態１と同様にＦＥＣ冗長度を変更し、併せて回路動作周波数も変更する。
【００６１】
以上説明したように、この実施の形態では、複数のＯＮＵおよび／またはＯＬＴにおける受信光パワーに基づいて、通信データに付加されるＦＥＣ冗長コードの冗長度を制御するとともに、当該冗長度に応じて通信速度を制御するようにしているので、例えばＧＥ−ＰＯＮシステムにＦＥＣ技術を適用する場合に、ＯＮＵの接続距離や接続伝送路状況に依存することなく、伝送効率をほぼ一定に制御することができる。
【００６２】
実施の形態４．
（通信システムの特徴）
実施の形態４にかかる通信システムは、子局装置であるＯＮＵおよび／または親局装置であるＯＬＴの受信信号から抽出されるクロック信号の擾乱度に基づいて通信データに付加されるＦＥＣ冗長コードを制御する際に、当該冗長度に応じてＯＮＵとＯＬＴとの間の通信速度を制御するところに特徴を有している。このような速度制御を行うようにすれば、ＯＮＵとＯＬＴとの間の接続距離や接続伝送路状況に関係なく、伝送効率をほぼ一定に制御することができる。
【００６３】
（通信システムの構成）
つぎに、実施の形態４にかかる通信システムの構成について説明する。図１２は、本発明の実施の形態４にかかるＯＬＴの構成を示すブロック図であり、図１３は、本発明の実施の形態４にかかるＯＮＵの構成を示すブロック図である。図１２に示すＯＬＴは、図６に示した実施の形態２の構成に加えて、ＦＥＣ符号化／復号化部９０５と制御フレーム抽出部９０６および制御フレーム挿入部９０７のそれぞれとの間に挿入される速度調整部９１１を備えるように構成される。同様に、図１３に示すＯＮＵは、図７に示した実施の形態２の構成に加えて、ＦＥＣ符号化／復号化部１００５と制御フレーム挿入部１００６および制御フレーム抽出部１００７のそれぞれとの間に挿入される速度調整部１０１１を備えるように構成される。なお、図１２および図１３において、上述の速度調整部９１１，１０１１以外の構成については、実施の形態２の構成と同一または同等である。
【００６４】
また、この実施の形態にかかる通信システムを実施の形態３との比較で見れば、図１０に示した受光パワー計測部７０２および図１１に示した受光パワー計測部８０２が抽出ＣＬＫ擾乱検出部９０２，１００２にそれぞれ代わった形態であり、伝送路の状態を受信光パワーでなく、受信信号から抽出されたクロック信号の擾乱度に基づいてＦＥＣ冗長度および通信速度を制御する形態である。したがって、ＦＥＣ冗長度の変更手順や、回路動作周波数の変更手順にかかる動作は共通であり、その説明を省略する。
【００６５】
以上説明したように、この実施の形態では、複数のＯＮＵおよび／またはＯＬＴにおける受信信号から抽出されたクロック信号の擾乱度（すなわち伝送路状態と等価）に基づいて、通信データに付加されるＦＥＣ冗長コードの冗長度を制御するとともに、当該冗長度に応じて通信速度を制御するようにしているので、例えばＧＥ−ＰＯＮシステムにＦＥＣ技術を適用する場合に、ＯＮＵの接続距離や接続伝送路状況に依存することなく、伝送効率をほぼ一定に制御することができる。
【００６６】
なお、上述の実施の形態１〜４では、Ｅｔｈｅｒｎｅｔ（登録商標）のフレームを用いる場合を一例として説明したが、この種の規格のフレームに限定されるものではなく、パケット通信に対して広く適用することができる。
【００６７】
また、実施の形態１〜４では、ＰＯＮシステムに適用する場合を一例として説明したが、適用システムがこの種のシステムに限定されるものではなく、複数の通信装置間で通信が行われるものであれば、光や電気の有線通信や、無線通信等どのようなシステムにも適用可能であり、１対１接続での通信であっても適用可能である。
【産業上の利用可能性】
【００６８】
以上のように、本発明にかかる通信システムは、ＦＥＣ技術が適用される通信システムに有用であり、特に、親局装置と子局装置とが伝送媒体および伝送帯域を共用するＰＯＮシステムに好適である。
【図面の簡単な説明】
【００６９】
【図１】本発明の実施の形態１にかかるＰＯＮシステムの接続構成を示す図である。
【図２】本発明の実施の形態１にかかるＯＬＴの構成を示すブロック図である。
【図３】本発明の実施の形態１にかかるＯＮＵの構成を示すブロック図である。
【図４】ＰＯＮシステムにおけるオートディスカバリのシーケンスを示すシーケンス図である。
【図５】ＲＴＴ計測のシーケンスを示す説明図である。
【図６】本発明の実施の形態２にかかるＯＬＴの構成を示すブロック図である。
【図７】本発明の実施の形態２にかかるＯＮＵの構成を示すブロック図である。
【図８】抽出ＣＬＫ擾乱検出部の構成例を示すブロック図である。
【図９】抽出ＣＬＫ擾乱検出部の図８とは異なる他の構成例を示すブロック図である。
【図１０】本発明の実施の形態３にかかるＯＬＴの構成を示すブロック図である。
【図１１】本発明の実施の形態３にかかるＯＮＵの構成を示すブロック図である。
【図１２】本発明の実施の形態４にかかるＯＬＴの構成を示すブロック図である。
【図１３】本発明の実施の形態４にかかるＯＮＵの構成を示すブロック図である。
【符号の説明】
【００７０】
１  ＯＬＴ
２  光カプラ
３  光ファイバ
４  ＯＮＵ
１０１，２０１，３０１，４０１，７０１，８０１，９０１，１００１  Ｏ／Ｅ変換部
１０２，２０２，７０２，８０２  受光パワー計測部
１０３，２０３，３０３，４０３，７０３，８０３，９０３，１００３  ビット同期部
１０４，２０４，３０４，４０４，７０４，８０４，９０４，１００４  ８Ｂ／１０Ｂ変換部
１０５，２０５，３０５，４０５，７０５，８０５，９０５，１００５  ＦＥＣ符号化／復号化部
１０６，２０７，３０６，４０７，７０６，８０７，９０６，１００７  制御フレーム抽出部
１０７，２０６，３０７，４０６，７０７，８０６，９０７，１００６  制御フレーム挿入部
１０８，２０８，３０８，４０８，７０８，８０８，９０８，１００８  制御フレーム終端部
１０９，２０９，３０９，４０９，７０９，８０９，９０９，１００９  ＰＯＮ制御部
１１０，２１０，３１０，４１０，７１０，８１０，９１０，１０１０  フレームバッファ
３０２，４０２，９０２，１００２  抽出ＣＬＫ擾乱検出部
５０１，６０１  位相比較器
５０２，６０２  ループフィルタ
５０３，６０３  ＶＣＯ
５０４，６０４  分周期
５０５，６０５  電圧変動検出部
７０３  ビット同期部
７１１，８１１，９１１，１０１１  速度調整部
【図１】
0004723940.tif 000002
【図２】
0004723940.tif 000003
【図３】
0004723940.tif 000004
【図４】
0004723940.tif 000005
【図５】
0004723940.tif 000006
【図６】
0004723940.tif 000007
【図７】
0004723940.tif 000008
【図８】
0004723940.tif 000009
【図９】
0004723940.tif 000010
【図１０】
0004723940.tif 000011
【図１１】
0004723940.tif 000012
【図１２】
0004723940.tif 000013
【図１３】
0004723940.tif 000014